(57)【要約】      （修正有）【課題】実店舗と同等の利便性で、通信販売を利用することができる化粧品類の可搬式店舗を提供することにあり、詳しくは、通信販売においても、化粧品類を販売する実店舗のように、商品を手に取って試用した上で購入することができ、更に、商品とテスターの発送及び購入しなかった商品とテスターの返送を１往復の配送で行うことができる化粧品類の可搬式店舗を提供する。【解決手段】多種展開された化粧品類である商品と、該商品のテスターとが１つの可搬什器に収められた構成であって、前記可搬什器が、配送によって購買希望者の手元に届けられた状態下で、購買希望者が、前記テスターを試用したうえで、前記商品を選択できる構成である。【選択図】図１
2017148099.tif 000002
【特許請求の範囲】
【請求項１】
多種展開された化粧品類である商品と、該商品のテスターとが１つの可搬什器に収められた構成であって、
前記可搬什器が、配送によって購買希望者の手元に届けられた状態下で、購買希望者が、前記テスターを試用したうえで、前記商品を選択できる構成であることを特徴とする化粧品類の可搬式店舗。
【請求項２】
可搬什器に収められた多種類の商品について、対応するテスターが用意されていることを特徴とする請求項１に記載の化粧品類の可搬式店舗。
【請求項３】
可搬什器の底部には、商品とテスターとが載置される台座が設けられ、
前記台座の前方又は後方には、商品が並べられ、その後方又は前方には、テスターが並べられた構成であり、
前後で、商品とテスターの種類が一致していることを特徴とする請求項１又は２に記載の化粧品類の可搬式店舗。
【請求項４】
可搬什器の底部には、台座が設けられ、この台座の背部には、背板が設けられており、
前記背板に設けられたフックに商品が吊り下げられ、前記台座にテスターが載置された構成であることを特徴とする請求項１又は２に記載の化粧品類の可搬式店舗。
【請求項５】
台座の一部に二次元コードが表示され、又は、二次元コードが可搬什器に同梱され、
前記二次元コードを読み取った状態下で、商品の購入及び決済手続が可能なインターネットサイトへ、アクセスが可能な構成であることを特徴とする請求項１〜４のいずれかに記載の化粧品類の可搬式店舗。
【請求項６】
可搬什器が収容される外箱のサイズが、宅配業者が配送料金を定める規格サイズに対応していることを特徴とする請求項１〜５のいずれかに記載の化粧品類の可搬式店舗。
【請求項７】
可搬什器に、液晶ディスプレイが備えられたことを特徴とする請求項１〜６のいずれかに記載の化粧品類の可搬式店舗。
【請求項８】
可搬什器に、３Ｄホログラム発生器が備えられたことを特徴とする請求項１〜７のいずれかに記載の化粧品類の可搬式店舗。
【請求項９】
可搬什器に、情報端末が備えられ、この情報端末で、決済手続が可能であることを特徴とする請求項１〜８のいずれかに記載の化粧品類の可搬式店舗。
【請求項１０】
可搬什器に、全地球測位システムが備えられたことを特徴とする請求項１〜９のいずれかに記載の化粧品類の可搬式店舗。
【発明の詳細な説明】
【技術分野】
【０００１】
本発明は、可搬式店舗に関し、詳しくは、通信販売においても、化粧品類である商品を試用した上で、商品を選択・購入することができる化粧品類の可搬式店舗に関する。
【背景技術】
【０００２】
通信販売は、テレビ、カタログ又はインターネット等といった情報伝達媒体を通じて商品を購入することができる小売業態であり、家庭にいながらにして買い物ができるという点で便利であるが、店舗における対面販売とは異なり、実際の商品を手に取ったり、その商品を試用した上で、商品を選択し購入することができないという問題がある。
特に、化粧品類においては、１つの商品について多種展開（例えば、複数色展開）されることが多く、需要者からは、商品のバリエーション（例えば、色彩）を目視して確認することはもちろんのこと、他の化粧品との相性や、自身の肌色への馴染み具合等について確認した上で、商品を決定したいという要望がある。
【０００３】
特許文献１（特開２００７−３０４３２０）に記載の内容は、
『顧客から注文された製品を梱包資材に収納して配送する際に、該梱包資材と納品する製品との間の空きスペースに前記製品とは別の製品の広告媒体やサンプルを同封する』という販売方法に関する発明であり、更に『サンプルや広告媒体が、顧客から注文された製品と関連した分野の製品に関する』というものである。
【０００４】
しかし、この方法は、「製品とは別の製品の広告媒体やサンプルを同封する」というものであり、次回以降に購入を検討して欲しい商品を、販売者側から顧客に対して紹介するに過ぎない。
本発明者の研究によれば、この方法では、顧客自らが購入を検討したい商品を選んだ上で、その商品を手に取り、試用することはできない。また、サンプルを気に入り、購入手続をしたとしても、サンプルが同封された最初の配送と、発注した商品の配送とで、２回の配送が必要になるという問題がある。
【０００５】
特許文献２（特開２０１３−１９６２７７）に記載の内容は、
『天井部及び床部と、該天井部と該床部を繋ぐように立設される壁面とから構成され、該壁面の一部に開口部を設けた店舗本体と、該店舗本体の該開口部を閉じることが可能な１又は２以上の扉とから構成され、
該店舗本体を構成する形態の内側の壁面、及び該扉が該店舗本体の該開口部を閉じた場合の該扉の内側の面には、商品陳列棚が設けられ、
該店舗本体内部には、陳列された商品に貼付された商品情報識別標識に記録された商品情報を読取可能な１又は２以上の商品情報識別標識読取装置と、１又は２以上の表示装置と、該商品情報識別標識読取装置と該表示装置への入出力が可能であり公衆通信網に接続可能な１又は２以上の情報処理端末とを備えた可搬式店舗』というものである。
【０００６】
しかし、この技術では、商品陳列棚に置かれた商品はすべて見本品であり、商品を購入するには、見本品に貼付された商品情報識別標識から公衆通信網に接続して、商品を発注し、その商品が再び配送されてくるのを待たなければならない。即ち、本発明者の研究によれば、見本品と商品とで２回の配送が必要になり、実際に手に取って試用した商品を、すぐに入手することができないという問題がある。
【先行技術文献】
【特許文献】
【０００７】
【特許文献１】特開２００７−３０４３２０
【特許文献２】特開２０１３−１９６２７７
【発明の概要】
【発明が解決しようとする課題】
【０００８】
そこで、本発明の課題は、実店舗と同等の利便性で、通信販売を利用することができる化粧品類の可搬式店舗を提供することにあり、詳しくは、通信販売においても、化粧品類を販売する実店舗のように、商品を手に取って試用した上で購入することができ、更に、商品とテスターの発送及び購入しなかった商品とテスターの返送を１往復の配送で行うことができる化粧品類の可搬式店舗を提供することにある。
【課題を解決するための手段】
【０００９】
上記本発明の課題は、下記の手段により達成される。
１．多種展開された化粧品類である商品と、該商品のテスターとが１つの可搬什器に収められた構成であって、
前記可搬什器が、配送によって購買希望者の手元に届けられた状態下で、購買希望者が、前記テスターを試用したうえで、前記商品を選択できる構成であることを特徴とする化粧品類の可搬式店舗。
【００１０】
２．可搬什器に収められた多種類の商品について、対応するテスターが用意されていることを特徴とする前記１に記載の化粧品類の可搬式店舗。
【００１１】
３．可搬什器の底部には、商品とテスターとが載置される台座が設けられ、
前記台座の前方又は後方には、商品が並べられ、その後方又は前方には、テスターが並べられた構成であり、
前後で、商品とテスターの種類が一致していることを特徴とする前記１又は２に記載の化粧品類の可搬式店舗。
【００１２】
４．可搬什器の底部には、台座が設けられ、この台座の背部には、背板が設けられており、
前記背板に設けられたフックに商品が吊り下げられ、前記台座にテスターが載置された構成であることを特徴とする前記１又は２に記載の化粧品類の可搬式店舗。
【００１３】
５．台座の一部に二次元コードが表示され、又は、二次元コードが可搬什器に同梱され、
前記二次元コードを読み取った状態下で、商品の購入及び決済手続が可能なインターネットサイトへ、アクセスが可能な構成であることを特徴とする前記１〜４のいずれかに記載の化粧品類の可搬式店舗。
【００１４】
６．可搬什器が収容される外箱のサイズが、宅配業者が配送料金を定める規格サイズに対応していることを特徴とする前記１〜５のいずれかに記載の化粧品類の可搬式店舗。
【００１５】
７．可搬什器に、液晶ディスプレイが備えられたことを特徴とする前記１〜６のいずれかに記載の化粧品類の可搬式店舗。
【００１６】
８．可搬什器に、３Ｄホログラム発生器が備えられたことを特徴とする前記１〜７のいずれかに記載の化粧品類の可搬式店舗。
【００１７】
９．可搬什器に、情報端末が備えられ、この情報端末で、決済手続が可能であることを特徴とする前記１〜８のいずれかに記載の化粧品類の可搬式店舗。
【００１８】
１０．可搬什器に、全地球測位システムが備えられたことを特徴とする前記１〜９のいずれかに記載の化粧品類の可搬式店舗。
【発明の効果】
【００１９】
前記１に示す発明によれば、１つの可搬什器に、商品としての化粧品類と、その商品のテスターとが同梱して配送されるので、購入希望者は、先ず、テスターでもって商品を目視して確認でき、更に、実際に試用して他の化粧品類との相性や、自身の肌に馴染むか否か等について確認した上で、商品を選択することができる。
【００２０】
また、前記１に示す発明によれば、購入しなかった残りの商品とテスターとを返送するが、テスターを試用して選択した商品は手元に残して、購入手続をした後すぐに使用することができる。即ち、商品とテスターの発送及び残りの商品とテスターの返送を、１往復の配送で終えることができる。
これにより、実店舗と同等の利便性で、通信販売を利用することができる。
【００２１】
前記２に示す発明によれば、可搬什器に収容された全ての種類の商品についてテスターが用意されているので、試用できる商品が限定されず、テスターを試用して自分に最適な商品を選択することができる。
【００２２】
前記３に示す発明によれば、商品である化粧品類の種類と、そのテスターが、前後で一致しているので、テスターを試用して選択した商品の種類と、実際の商品の種類とを取り間違えることを防止できる。また、商品とテスターとをそれぞれ横一列で並べた構成であれば、例えば、淡い色から濃い色へ順に並べることにより、商品を選択し易くなる。
【００２３】
前記４に示す発明によれば、実店舗における陳列棚のように、商品が背板のフックに吊り下げられ、テスターが台座に載置された構成であり、商品を眺めつつテスターで試すことができるので、実店舗と同等の利便性で、通信販売を利用することができる。
【００２４】
前記５に示す発明によれば、二次元コードをスマートフォン等の携帯端末やパーソナルコンピューターで読み取ることによって、化粧品類の購入及び決済手続が可能なインターネットサイトへアクセスが可能であり、テスターの試用によって選択した商品の購入・決済までを、簡単な手順で終えることができる。また、二次元コードから、商品の使用方法を説明するインターネットサイトにアクセス可能とすれば、使用方法について知ることもできる。また、上述の二次元コードが台座の一部に表示されていれば、テスターの試用時においても目に付き易いので、ここから購入・決済サイト又は使用方法が掲載されたサイトにアクセス可能であることが、視覚的に理解し易い。
【００２５】
前記６に示す発明によれば、宅配業者が配送料金を定める規格サイズに対応することで、配送料金を安価に抑えることができる。
【００２６】
前記７に示す発明によれば、液晶ディスプレイに、宣伝広告動画や使用方法の説明動画等を映し出すことができる。
【００２７】
前記８に示す発明によれば、３Ｄホログラムによって宣伝広告等を表示することができる。
【００２８】
前記９に示す発明によれば、タブレットＰＣやスマートフォン等の情報端末によって、化粧品類の購入及び決済手続が可能なインターネットサイトへアクセスが可能であり、テスターの試用によって選択した商品の購入・決済までを、簡単な手順で終えることができる。
【００２９】
前記１０に示す発明によれば、全地球測位システム（ＧＰＳ）受信機により、販売者側から可搬什器４の位置情報を取得することが可能であり、万一、購入希望者から可搬什器が返還されない場合にも、これを追跡することができる。
【００３０】
なお、本発明の別の実施態様は、「テスターには、販売不適合品が用いられることを特徴とする前記１〜９のいずれかに記載の化粧品類の可搬式店舗。」である。
この発明によれば、テスターには、返品された商品、容器や梱包等に傷等がみられるＢ級品、又はすでに開封された商品等、実際に販売する商品としてはふさわしくない販売不適合品を用いることで、このテスターを用意するコストを抑えることができる。
【図面の簡単な説明】
【００３１】
【図１】本発明に係る可搬式店舗の梱包された状態における一実施例を示す概略斜視図
【図２】本発明に係る可搬式店舗の開梱された状態における一実施例を示す概略斜視図
【発明を実施するための形態】
【００３２】
本発明に係る可搬式店舗１は、化粧品類の通信販売に用いられ、宅配便等で配送が可能な簡易型の店舗である。この可搬式店舗１を用いれば、実店舗における売り場が、まるで自宅に届けられるかのような通信販売サービスを提供することができ、実店舗と同等の利便性で、通信販売を利用することができる。
【００３３】
以下、添付の図面に従って本発明を詳細に説明する。
図１は、本発明に係る可搬式店舗（以下、単に「可搬式店舗」ともいう。）１の梱包された状態における一実施例を示す概略斜視図であり、図２は、可搬式店舗１の開梱された状態における一実施例を示す概略斜視図である。
【００３４】
可搬式店舗１は、図１に示されるように、少なくとも商品２、テスター３及び可搬什器４から構成される。商品２とテスター３は、それぞれ２以上が用意され、可搬什器４の底部には、商品２及びテスター３を載置する台座５を備えてもよい。
【００３５】
商品２は、複数色展開等を含む多種展開された化粧品類である。本発明において、化粧品類とは、ファンデーション、口紅、アイシャドウ等の化粧品の他、顔以外の箇所に塗布又は噴射等して、美容効果を得ることができる商品を含む。例えば、脚等の肌に、霧状のファンデーションを噴射することで肌をきれいに魅せ、まるでストッキングを履いているような効果を得ることができるスプレー式全身用ファンデーションも含む。
【００３６】
化粧品類は、例えば、複数色が展開され、使用者の好みや肌の色に合わせて選択されるものであり、実店舗においても、いくつかの色彩を試用した上で購入したいとう要望が多いことから、可搬式店舗１で扱われる商品として最適である。なお、化粧品類のカラーバリエーションとして、パントンカラーに対応したものを最も好ましく例示することができる。
また、多種展開された化粧品類とは、上記した複数色展開の他、複数の香りから選択できるものや、乾燥肌やオイリー肌など肌質に対応した商品展開や、さっぱりやしっとりといった使用感に対応した商品展開のものを含む。
【００３７】
テスター３は、商品２と同じ品であって、同じ種類（例えば、色彩、カラーバリエーション。）のものを用意する。また、可搬什器に収められた全ての種類の商品について、テスターを用意することが好ましい。商品２とは別の容器に収容するなど、テスター用に特
別な用意をすることは、コスト面から好ましくない。なお、すぐに試用できるように、包装等は予め外しておくことが好ましい。
【００３８】
テスター３には、返品された商品、容器や梱包等に傷等がみられるＢ級品、又はすでに開封された商品等、実際に販売する商品としてはふさわしくない販売不適合品を使用することが好ましい。これにより、テスター３を用意するコストを抑えることができる。
【００３９】
商品２及びテスター３は、それぞれ２以上が用意される。また、例えば、商品２について、赤、青及び黄色の色彩に係る商品を揃えた場合は、テスター３についても、赤、青及び黄色の色彩に係るテスターを揃えるというように、商品２とテスター３とは、同じ種類の品揃え（例えば、カラーバリエーション。）が用意される。これにより、商品２として可搬式店舗１に陳列された全ての種類を、テスター３にて試すことができる。
【００４０】
可搬什器４は、商品２及びテスター３を収容し陳列するためのものであり、実店舗における陳列棚の一角を占める販売スペースに該当するものである。なお、図１においては、内容物を見易くするため、破線で示してある。
可搬什器４は、図１においては立方体の形状で示されるが、その形状に限定はなく、公知公用の形状を特別の制限なく採用することができる。
【００４１】
可搬什器４のサイズに限定はないが、例えば、幅を３０ｃｍとすることが好ましい。これは、実店舗における陳列棚が幅９０ｃｍである場合が多く、各化粧品類の陳列は、この幅の３分割した３０ｃｍを１つの商品の陳列スペースとする場合が多いためである。
【００４２】
図１又は２に示されるように、可搬什器４の底部には、商品２とテスター３とが載置される台座５を設けることが好ましい。この台座５に、商品２とテスター３とを予め陳列しておけば、可搬式店舗１の着荷後すぐに、実店舗における陳列棚を自宅において再現することができる。
【００４３】
台座５には、商品２とテスター３を固定するための溝部５１を設けてもよい。この溝部５１に、商品２とテスター３とを嵌め込むことにより、配送時に陳列が乱れることを防止できる。また、これに加えて、商品２とテスター３の上部から、台座５のように溝が設けられた固定具（図示しない）を被せる構成としてもよい。
【００４４】
台座５における配列は、図１又は２に示されるように、後列に商品２が並べられ、その前列にテスター３が並べられた構成を採用することができる。この際、後方の商品２と、その直前に並べられたテスター３とは、色彩等の種類が一致していることが好ましい。即ち、商品２とテスター３とは、前後で色彩等の種類が一致していることが好ましい。
図１又は２において、商品２は後列に横一列で陳列されているが、複数個を購入できるように、２列以上を陳列してもよい。
【００４５】
図１又は２においては、商品２が後方に陳列され、その前方にテスター３が陳列された構成であるが、反対に、テスター３が後方に陳列され、その前方に商品２が陳列された構成を採用してもよい。また、後述するように、商品２を吊り下げ方式で陳列する構成を採用してもよい。
【００４６】
可搬式店舗１は、二次元コード６を備えることが好ましい。
二次元コード６とは、水平方向と垂直方向に情報を持つ表示方式のコードであり、これをスマートフォン等の携帯端末やパーソナルコンピューターに搭載されたカメラによって撮影して読み取ると、所定の情報が表示されたり、所定のインターネットサイトにアクセスできるというものある。二次元コードの例として、ＱＲコード（登録商標）を挙げるこ
とができる。
【００４７】
アクセス先のインターネットサイトでは、商品２の購入及び決済手続が可能であることが好ましい。これにより、テスター３の試用によって選択した商品２の購入・決済までを、簡単な手順で終えることができ、実店舗における買い物と同等の利便性を得ることができる。
また、アクセス先のインターネットサイトでは、商品２の使用方法が表示されることが好ましい。これにより、実店舗において販売員から商品の使用説明を受けるのと同等の効果を得ることができる。
【００４８】
なお、商品２に記載されたバーコードを、スマートフォン等の携帯端末やパーソナルコンピューターに搭載されたカメラによって撮影して読み取ると、その商品の価格等を知ることができ、この情報が、購入及び決済手続が可能なインターネットサイトに反映される構成であれば、実店舗におけるレジシステムと同様の手続が可能であり、更に利便性が高い。
【００４９】
図２に示されるように、二次元コード６は、台座５の一部に表示されることが好ましい。これにより、テスター３の試用時や、商品２を手に取った際においても目に付き易いので、ここから購入・決済サイト又は使用方法が掲載されたサイトにアクセス可能であることが、視覚的に理解し易い。また、二次元コード６が表示された紙等の媒体を、可搬什器２に同封してもよい。
【００５０】
台座５には、実店舗におけるＰＯＰ広告のように、パネル７を設置することができる。
パネル７は、図２に示されるように、商品２の後方であって、台座５の背部に取り付けられることが好ましい。
【００５１】
パネル７には、商品２を紹介、広告又は説明等する文字、図又は写真等を表示することが好ましい。また、パネル７の一部に、上述した二次元コード６を表示してもよい。
更に、パネル７には、前方に陳列された商品２の色彩について、説明等する内容を表示することもできる。例えば、商品の色彩毎に、それらの色彩の化粧品類を使用したモデル写真を表示すれば、購入希望者にとっても使用したイメージを得易い。
【００５２】
パネル７は、図２に示されるように、上部７１と下部７２の２枚構成とすることができる。上部７１と下部７２は、取り外しが可能な構成とし、可搬式店舗１が梱包された状態においては、上部７１と下部７２は重ね合わせて可搬什器４又外箱に収容され、開封された状態（商品２とテスター３が可搬什器４又は外箱から取り出された状態）においては、上部７１と下部７２を上下に連結し、少なくとも上部７１が商品２の上方に現れる構成とすることが好ましい。
パネル７の上部７１と下部７２の連結手段に限定はなく、この種の技術分野における公知公用の連結手段を特別の制限なく採用することができる。
【００５３】
上記したパネル７と同様に、台座５の背部に、背板（図示しない）を設けることができ、この背板に設けられたフックに商品２を吊り下げる構成とすることができる。この場合、台座５にテスター３を載置する。かかる構成を採用することによって、実店舗における陳列棚のように、商品２が背板のフックに吊り下げられ、テスター３が台座に載置されるので、購入希望者は、商品２を眺めつつテスター３で試すことができ、実店舗と同等の利便性で、通信販売を利用することができる。
なお、背板には、商品２が吊り下げられても、折れ曲がり等の破損が生じない程度の強度が要求される。
【００５４】
その他、可搬式店舗１の可搬什器４に同梱できるものを例示する。
可搬什器４の空いたスペースには、他の化粧品類の試供品（サンプル）を同梱することができる。また、化粧品類の色彩を正確かつ定量的に知るために、測色計を同梱することもできる。更に、商品２としての化粧品類が、爪に塗布するジェルネイル等に採用され、ＵＶライト下において発光する製品である場合には、発光した状態における色彩を確認するために、ＵＶライトを同梱することもできる。
【００５５】
可搬式店舗１の可搬什器４に同梱できるものを、更に例示する。
可搬什器４には、液晶ディスプレイを同梱又は設置することができる。これにより、液晶ディスプレイに、宣伝広告動画や使用方法の説明動画等を映し出すことができる。
また、可搬什器４には、３Ｄホログラム発生器を同梱又は設置することができる。これにより、３Ｄホログラムによって宣伝広告等を表示することができる。
更にまた、可搬什器４には、タブレットＰＣやスマートフォン等の情報端末を同梱又は設置することができる。これにより、タブレットＰＣやスマートフォン等の情報端末によって、化粧品類の購入及び決済手続が可能なインターネットサイトへアクセスが可能であり、テスターの試用によって選択した商品の購入・決済までを、簡単な手順で終えることができる。
【００５６】
可搬什器４は、全地球測位システム（ＧＰＳ）受信機を備えることが好ましい。これにより、販売者側から可搬什器４の位置情報を取得することが可能であり、万一、購入希望者から可搬什器４が返還されない場合にも、これを追跡することができる。
【００５７】
外箱は、１又は２以上の可搬什器４を収容し、商品２及びテスター３を宅配便等で配送するための梱包容器である。
外箱は、宅配業者が配送料金を定める基準とする規格サイズに基づいて、そのサイズを決定することが好ましい。これにより、配送料金を抑えることができる。例えば、ある宅配業者では、梱包箱の縦、横及び高さの合計長さが６０ｃｍ以内であって、重量が２ｋｇ以内の場合には、６０サイズという規格サイズとなり、配送料金が最も安い設定となる。
【００５８】
上述のとおり、可搬什器４は、幅３０ｃｍとすることが好ましい。この場合、外箱のサイズとして、上記６０サイズでは、高さと奥行きに使用できる長さは３０ｃｍであり、商品２とテスター３を陳列するスペースとして足りない場合がある。そこで、外箱は、上記８０サイズに対応することが好ましい。
また、上記のとおり、外箱には、可搬什器４を２以上収容してもよい。この場合、外箱は上記８０サイズでは足りず、上記１００サイズ以上とすることが好ましい。
【００５９】
本発明に係る可搬式店舗１を使用した、通信販売方法について説明する。ここでは、商品２を複数色展開された化粧品類として説明する。
先ず、購入希望者が、販売者に対して、インターネットサイトや電話にて、可搬式店舗１の配送を依頼する。その際、購入希望者は、氏名や住所等の個人情報を入力し、ユーザー登録をする。決済に使用するクレジットカードの情報を、予め登録させてもよい。また、購入を希望する商品２（化粧品類）の種類を選択し、多数のカラーバリエーションがある場合には、同梱を希望する２以上の色彩を選択する。
【００６０】
次に、販売者は、購入希望者に対し、宅配便等を利用して可搬式店舗１を発送する。
購入希望者は、可搬式店舗１が到着したら、外箱から台座５に載置された商品２とテスター３等を取り出す。パネル７の上部７１と下部７２が取り外された状態であれば、これらを連結してパネル７を組み立てる。
【００６１】
次に、購入希望者は、テスター３を使って化粧品類の色彩を選ぶ。この際、化粧品類の
使用方法が分からなければ、台座５等に表示された二次元コード６から、使用方法が閲覧可能なインターネットサイトへアクセスすることができる。
【００６２】
購入する商品２（化粧品類）の色彩を選択・決定したら、購入・決済手続に移る。この手続でも、台座５等に表示された二次元コード６から、購入・決済手続が可能なインターネットサイトへアクセスすることができる。
【００６３】
購入した商品２（化粧品類）のみを手元に残し、他の商品２とテスター３を台座５等の同梱物と共に可搬什器４に収容し、これを更に外箱に収容して、販売者へ返送する。なお、可搬式店舗１の返送方法や、これを引き取る方法は、公知公用の方法を特別の制限なく採用することができ、例えば、スマートフォンのアプリケーション、インターネットサイト又は電話にて、返送手続の依頼をすることが挙げられる。
以上により、一連の手続は終了する。
【００６４】
上記の通信販売方法によれば、商品２とテスター３の発送及び購入しなかった商品２とテスター３の返送を１往復の配送で行うことができる。従って、購入希望者は、実店舗において、テスター３を試用しながら化粧品類の色彩を選ぶのと同等の利便性で、通信販売を利用することができる。
実店舗における買い物では、購入希望者が自宅と実店舗の間を１往復することで、商品を購入することになるが、上記の通信販売方法では、可搬式店舗１が販売業者と購入希望者の間を１往復する構成であり、購入希望者は移動する必要がない点で、実店舗における買い物よりも利便性が高いともいえる。
【００６５】
本発明に係る可搬式店舗１は、化粧品類以外の商品についても、応用することができる。
例えば、食品分野であれば、味付けにバリエーションを有する食品とその試食品を同梱すれば、試食して好みの味の商品を購入することができる。また、調理器具や清掃用具などの生活用品の分野であれば、サイズや色彩にバリエーションを有する商品とその試用品とを同梱し、その使用感や色彩を確認した上で購入することができる。更にまた、アパレル業の分野であれば、サイズや色彩にバリエーションを有する洋服やシューズの商品とその試着品を同梱し、試着した上で購入することができる。
【産業上の利用可能性】
【００６６】
本発明に係る可搬式店舗１を用いれば、実店舗における買い物と同等の利便性で、化粧品類の通信販売サービスを利用することができる。
【符号の説明】
【００６７】
１  可搬式店舗
２  商品
３  テスター
４  可搬什器
５  台座
５１  溝部
６  二次元コード
７  パネル
７１  パネル上部
７２  パネル下部
【図１】
2017148099.tif 000003
【図２】
2017148099.tif 000004